(57)【要約】【課題】ワイヤと電位の異なる電極とのショートの発生リスクを低減でき、かつワイヤにかかるダメージを軽減できる多線巻線方法及び多線巻線装置を提供する。【解決手段】本巻線方法は、まず複数のワイヤの始線部をコアの一端側鍔部の外側から内側へと導き、各ワイヤの始線部を一端側鍔部の電極上へ配置して接続し、複数のワイヤをコア軸方向に対して横方向へ導き、巻芯部に複数のワイヤを一緒に巻回する。次に、ワイヤ引っ掛け具をコアの他端側鍔部の溝部に挿入し、複数のワイヤの終線部を他端側鍔部の内側から外側へと導くとともに、ワイヤ引っ掛け具の先端部に複数のワイヤのうちの１本を除く他の少なくとも１本の終線部を引っ掛けて、ワイヤ張力を保ったまま折り曲げる。その後、複数のワイヤの終線部を対応する他端側鍔部の電極上へ配置して接続する。ワイヤ終線部を横方向に折り曲げることで電位の異なる電極とのショート発生リスクを低減する。【選択図】      図７
2015178263.tif 000002
【特許請求の範囲】
【請求項１】
コアの巻芯部に複数のワイヤを巻回してコイル部品を形成する多線巻線方法であって、前記コアの軸方向一端側と他端側にそれぞれ鍔部を有し、各鍔部にそれぞれワイヤと接続される複数の電極が溝部を間にして形成され、かつ前記電極の間の鍔部の位置に溝部が形成された、多線巻線方法において、
前記複数のワイヤの始線部を前記コアの一端側鍔部の外側から内側へと導き、それぞれのワイヤの始線部を一端側鍔部の電極上へ配置して接続するステップと、
前記複数のワイヤを前記コアの軸方向に対して横方向へ導き、前記巻芯部に前記複数のワイヤを一緒に巻回するステップと、
ワイヤ引っ掛け具を、その先端部が前記コアの他端側鍔部の内側面と同一位置又はそれより巻芯部側の位置になるように、前記他端側鍔部の溝部に挿入するステップと、
前記複数のワイヤの終線部を前記コアの他端側鍔部の内側から外側へと導くとともに、前記ワイヤ引っ掛け具の先端部に前記複数のワイヤのうちの１本を除く他の少なくとも１本の終線部を引っ掛けて、当該ワイヤを張力を保ったまま折り曲げるステップと、
前記複数のワイヤの終線部を対応する他端側鍔部の電極上へ配置して接続するステップと、を備えた多線巻線方法。
【請求項２】
前記ワイヤ引っ掛け具をその先端部が前記他端側鍔部の内側面より巻芯部側に突出するように挿入することを特徴とする、請求項１に記載の多線巻線方法。
【請求項３】
コアの巻芯部に複数のワイヤを巻回してコイル部品を形成する多線巻線装置であって、前記コアの軸方向一端側と他端側にそれぞれ鍔部を有し、各鍔部にそれぞれワイヤと接続される複数の電極が溝部を間にして形成され、かつ前記電極の間の鍔部の位置に溝部が形成された、多線巻線装置において、
前記ワイヤをそれぞれ供給する複数のノズルと、
前記複数のノズルを移動させる移動機構と、
前記コアをその軸心周りに回転させる回転機構と、
前記ワイヤを前記電極に接続する接合手段と、
前記コアの他端側鍔部の溝部に挿入されるワイヤ引っ掛け具と、
前記ワイヤ引っ掛け具を作動させる作動装置と、を備え、
ノズルにより前記複数のワイヤの始線部を前記コアの一端側鍔部の外側から内側へと導き、それぞれのワイヤを一端側鍔部の電極上へ配置して前記接合手段により接続し、
前記複数のワイヤを前記コアの軸方向に対して横方向へ導くと共に、前記コアを回転させて前記巻芯部に前記複数のワイヤを一緒に巻回し、
ワイヤ引っ掛け具を、その先端部が前記コアの他端側鍔部の内側面と同一位置又はそれより巻芯部側の位置になるように、前記他端側鍔部の溝部に挿入し、
前記ノズルにより前記複数のワイヤの終線部を前記コアの他端側鍔部の内側から外側へと導くとともに、前記ワイヤ引っ掛け具の先端部に前記複数のワイヤのうちの１本を除く他の少なくとも１本の終線部を引っ掛けて、当該ワイヤを張力を保ったまま折り曲げ、
前記複数のワイヤの終線部を対応する他端側鍔部の電極上へ配置して前記接合手段により接続する、ことを特徴とする多線巻線装置。
【請求項４】
前記ワイヤ引っ掛け具をその先端部が前記他端側鍔部の内側面より巻芯部側に突出するように挿入することを特徴とする、請求項３に記載の多線巻線装置。
【請求項５】
前記ワイヤ引っ掛け具の作動装置は、前記ワイヤ引っ掛け具を前記コアの軸方向と平行に前後移動させることを特徴とする請求項３又は４に記載の多線巻線装置。
【請求項６】
前記コアの一端側及び他端側の鍔部にはそれぞれ３個の電極が形成され、これら電極の間の鍔部の部位にそれぞれ２個の溝部が形成され、
前記ワイヤ引っ掛け具には他端側鍔部の２個の溝部にそれぞれ挿入される２本の凸部が設けられ、
前記凸部の先端で３本のワイヤのうちの２本のワイヤを折り曲げる、請求項３乃至５のいずれか１項に記載の多線巻線装置。
【請求項７】
前記コアの一端側及び他端側の鍔部にはそれぞれ３個の電極が形成され、これら電極の間の鍔部の部位にそれぞれ２個の溝部が形成され、
前記ワイヤ引っ掛け具には、他端側鍔部の２個の溝部のうち、前記巻芯部の巻き終わり位置から遠い位置にある溝部にのみ挿入される１本の凸部が設けられ、
前記凸部の先端で３本のワイヤのうちの１本のワイヤを折り曲げる、請求項３乃至５のいずれか１項に記載の多線巻線装置。
【請求項８】
前記回転機構は、前記コアの一端側鍔部をチャックして回転させるよう構成され、
前記ワイヤ引っ掛け具及び前記作動装置は、前記回転機構とは別の固定部に設けられていることを特徴とする請求項３乃至７のいずれか１項に記載の多線巻線装置。
【請求項９】
巻芯部とこの巻芯部の両端部に形成された鍔部とを有し、各鍔部に溝部を間にして複数の電極が形成されたコアと、前記巻芯部に巻回され、始線部と終線部とが前記電極に接続された複数のワイヤと、を備えた巻線型コイル部品において、
前記巻芯部の巻き始め位置から近距離にある一端側鍔部の電極に接続された前記ワイヤの始線部は、前記電極上に接続された接続部と、前記電極の巻芯部側縁部で折り曲げられて前記巻き始め位置へ延びる配線部とを有し、
前記巻芯部の巻き始め位置から遠距離にある一端側鍔部の電極に接続された前記ワイヤの始線部は、前記電極上に接続された接続部と、前記電極の巻芯部側縁部で横方向に折り曲げられて前記巻き始め位置へ延びる配線部とを有し、
前記巻芯部の巻き終わり位置から近距離にある他端側鍔部の電極に接続された前記ワイヤの終線部は、前記電極上に接続された接続部と、前記電極の巻芯部側縁部で折り曲げられて前記巻き終わり位置へ延びる配線部とを有し、
前記巻芯部の巻き終わり位置から遠距離にある他端側鍔部の電極に接続された前記ワイヤの終線部は、前記電極上に接続された接続部と、前記電極の巻芯部側縁部又はそれより巻芯部側の位置で横方向に折り曲げられ、かつこの折り曲げ位置から前記巻き終わり位置へ延びる配線部とを有する、ことを特徴とする巻線型コイル部品。
【請求項１０】
前記コアは、前記鍔部の巻芯部側の側部、又は前記鍔部と巻芯部との間に、電極を持たないスペーサ部を有する、請求項９に記載の巻線型コイル部品。
【請求項１１】
前記複数のワイヤは第１〜第３のワイヤで構成され、前記コアの一端側鍔部及び他端側鍔部にそれぞれ３個の電極が形成され、
前記第１のワイヤの始線部は、前記巻芯部の巻き始め位置から最も近距離にある一端側鍔部の第１電極に接続されており、
前記第２のワイヤの始線部は、前記巻芯部の巻き始め位置から前記第１電極よりも遠距離にある一端側鍔部の第２電極に接続されており、
前記第３のワイヤの始線部は、前記巻芯部の巻き始め位置から前記第２電極よりも遠距離にある一端側鍔部の第３電極に接続されており、
前記第１のワイヤの終線部は、前記巻芯部の巻き終わり位置から最も遠距離にある他端側鍔部の第４電極に接続され、かつ前記第４電極に接続された接続部と前記巻き終わり位置へ延びる配線部との間で横方向に折り曲げられており、
前記第２のワイヤの終線部は、前記巻芯部の巻き終わり位置から前記第４電極よりも近距離にある他端側鍔部の第５電極に接続され、かつ前記第５電極に接続された接続部と前記巻き終わり位置へ延びる配線部との間で横方向に折り曲げられており、
前記第３のワイヤの終線部は、前記巻芯部の巻き終わり位置から前記第５電極よりも近距離にある他端側鍔部の第６電極に直線的に引き出されて接続されている、請求項９又は１０に記載の巻線型コイル部品。
【請求項１２】
前記複数のワイヤは第１〜第３のワイヤで構成され、前記コアの一端側鍔部及び他端側鍔部にそれぞれ３個の電極が形成され、
前記第１のワイヤの始線部は、前記巻芯部の巻き始め位置から最も近距離にある一端側鍔部の第１電極に接続されており、
前記第２のワイヤの始線部は、前記巻芯部の巻き始め位置から前記第１電極よりも遠距離にある一端側鍔部の第２電極に接続されており、
前記第３のワイヤの始線部は、前記巻芯部の巻き始め位置から前記第２電極よりも遠距離にある一端側鍔部の第３電極に接続されており、
前記第１のワイヤの終線部は、前記巻芯部の巻き終わり位置から最も遠距離にある他端側鍔部の第４電極に接続され、かつ前記第４電極に接続された接続部と前記巻き終わり位置へ延びる配線部との間で横方向に折り曲げられており、
前記第２のワイヤの終線部は、前記巻芯部の巻き終わり位置から前記第４電極よりも近距離にある他端側鍔部の第５電極に直線的に引き出されて接続され、
前記第３のワイヤの終線部は、前記巻芯部の巻き終わり位置から前記第５電極よりも近距離にある他端側鍔部の第６電極に直線的に引き出されて接続されている、請求項９又は１０に記載の巻線型コイル部品。
【請求項１３】
前記複数のワイヤは第１〜第４のワイヤで構成され、前記コアの一端側鍔部及び他端側鍔部にそれぞれ４個の電極が形成され、
前記第１のワイヤの始線部は、前記巻芯部の第１の巻き始め位置から遠距離にある一端側鍔部の第１電極に接続されており、
前記第２のワイヤの始線部は、前記巻芯部の第１の巻き始め位置から前記第１電極よりも近距離にある一端側鍔部の第２電極に接続されており、
前記第３のワイヤの始線部は、前記巻芯部の第２の巻き始め位置から近距離にある一端側鍔部の第３電極に接続されており、
前記第４のワイヤの始線部は、前記巻芯部の第２の巻き始め位置から前記第３電極よりも遠距離にある一端側鍔部の第４電極に接続されており、
前記第１のワイヤと第２のワイヤは前記コアの巻芯部に対して所定方向に巻回され、
前記第３のワイヤと第４のワイヤは前記コアの巻芯部に対して第１のワイヤ、第２のワイヤとは逆方向に巻回され、
前記第１のワイヤの終線部は、前記巻芯部の第１の巻き終わり位置から近距離にある他端側鍔部の第５電極に直線的に引き出されて接続され、
前記第２のワイヤの終線部は、前記巻芯部の第１の巻き終わり位置から前記第５電極よりも遠距離にある他端側鍔部の第６電極に接続され、かつ前記第６電極に接続された接続部と前記巻き終わり位置へ延びる配線部との間で横方向に折り曲げられており、
前記第３のワイヤの終線部は、前記巻芯部の第２の巻き終わり位置から遠距離にある他端側鍔部の第７電極に接続され、かつ前記第７電極に接続された接続部と前記巻き終わり位置へ延びる配線部との間で横方向に折り曲げられており、
前記第４のワイヤの終線部は、前記巻芯部の第２の巻き終わり位置から前記第７電極よりも近距離にある他端側鍔部の第８電極に直線的に引き出されて接続されている、請求項９又は１０に記載の巻線型コイル部品。
【発明の詳細な説明】
【技術分野】
【０００１】
本発明は、コアの巻芯部に複数のワイヤを巻回してコイル部品を形成する多線巻線方法、多線巻線装置及び巻線型コイル部品に関する。特に、コアの軸方向一端側と他端側にそれぞれ鍔部を有し、各鍔部にそれぞれワイヤと接続される複数の電極が溝部を間にして形成されたコイル部品、及びその巻線方法と巻線装置に関する。本発明が対象とするコイル部品には、例えば２ライン、３ライン、４ラインなどのコモンモードチョークコイルや、パルストランス型コイルなどが含まれる。
【背景技術】
【０００２】
従来、図１７に示すような構造のコイル部品１００（ここでは２ラインコモンモードチョークコイルを示す）が知られている。１０１は磁性体からなるコアであり、その中央部に巻芯部１０２を有し、軸方向両端部に一対の鍔部１０３，１０４を有している。巻芯部１０２には２本のワイヤ１１０，１２０が並列に巻回されている。鍔部１０３、１０４の実装面側にはそれぞれ２個（合計４個）の電極１０５〜１０８が形成されている。ワイヤ１１０、１２０の始線部１１０ａ、１２０ａは一端側鍔部１０３の電極１０５，１０６上に接続固定され、ワイヤ１１０、１２０の終線部１１０ｂ、１２０ｂは他端側鍔部１０４の電極１０７，１０８上に接続固定されている。一方のワイヤ１１０の始線部１１０ａは、電極１０５上にコア軸線とほぼ平行（鍔部の外壁面に対してほぼ垂直）に接続固定されているが、他方のワイヤ１２０の始線部１２０ａは電極１０６上にコア軸線に対して斜め方向に接続固定されている。また、ワイヤ１２０の終線部１２０ｂは電極１０８上にコア軸線とほぼ平行に接続固定されているが、ワイヤ１１０の終線部１１０ｂは電極１０７上にコア軸線に対して斜め方向に接続固定されている。【０００３】
このような構造のコイル部品１００では、ワイヤ１２０の始線部１２０ａと電位の異なる電極１０５との間、及びワイヤ１１０の終線部１１０ｂと電位の異なる電極１０８との間で、ショートが発生する懸念がある。すなわち、ワイヤ１２０の始線部１２０ａ及びワイヤ１１０の終線部１１０ｂが巻芯部と電極との間で直線的に延びているので、始線部１２０ａ及び終線部１１０ｂが電位の異なる電極１０５、１０８と接触（Ｓ１、Ｓ２で示す）する可能性があり、両者の間でショートの発生リスクが高まるからである。【０００４】
このような問題に対処するため、図１８に示すようなコイル部品２００がある。図１８において、図１７と同一部分には同一符号を付して重複説明を省略する。このコイル部品２００は、特許文献１に示された巻線装置により作製できる。ワイヤ１１０、１２０の始線部１１０ａ、１２０ａは電極１０５、１０６上にコア軸線方向に接続され、ワイヤ１１０、１２０の終線部１１０ｂ、１２０ｂについても、電極１０７、１０８に対してコア軸線方向に接続されている。このように、ワイヤ１２０の始線部１２０ａが、電極１０６にコア軸線方向に接続された接続部１２０ａ1と巻芯部１０２へと延びる配線部１２０ａ2とを有し、接続部１２０ａ1と配線部１２０ａ2との間で屈曲しているため、始線部１２０ａと電位の異なる電極１０５との距離を確保でき、ショートの発生リスクを低減できる。また、ワイヤ１１０の終線部１１０ｂについても同様に電極１０７にコア軸線方向に接続されているので、電極１０７との接続部１１０ｂ1と巻芯部１０２から延びる配線部１１０ｂ2との間で屈曲し、そのためこの終線部１１０ｂと電位の異なる電極１０８との距離を確保でき、ショートの発生リスクを低減できる。【０００５】
図１８に示すコイル部品２００を、特許文献１に示す巻線装置により作製する方法を以下に説明する。まず、２本のワイヤ１１０、１２０をフックピンなどにより誘導しながら一端側鍔部１０３の外側から内側へと導くことにより、ワイヤ１１０、１２０の始線部１１０ａ、１２０ａを電極１０５、１０６上にコア軸線方向に配置し、その状態で始線部１１０ａ、１２０ａを電極１０５、１０６に接続する。これにより、始線部１１０ａ、１２０ａを電極１０５、１０６にコア軸線方向に接続できる。その後、コア１０１を回転させ、２本のワイヤ１１０、１２０をコア１０１の巻芯部１０２に巻回する。ワイヤ１２０の終線部１２０ｂについては、このワイヤ１２０を他端側鍔部１０４の内側から外側へ導くだけで、電極１０８に対してコア軸線方向に配置可能であるが、ワイヤ１１０の終線部１１０ｂについては、ワイヤ１１０を他端側鍔部１０４の内側から外側へ導くだけでは電極１０７に対してコア軸線方向に配置できない。そこで、前述の巻線装置では、線押え部材２０１によって終線部１１０ｂを巻芯部１０２に対して押圧することにより、終線部１１０ｂを一時的に固定し、固定状態のままワイヤ１１０をコア軸線方向外側へ導くことで、この終線部１１０ｂを電極１０７上にコア軸線方向に固定している。
【先行技術文献】
【特許文献】
【０００６】
【特許文献１】特開２００２−１３４３４７号公報
【発明の概要】
【発明が解決しようとする課題】
【０００７】
しかしながら、前述の巻線装置では、図１８の（ｂ）に示すように、ワイヤ１１０の終線部１１０ｂを線押え部材２０１によって巻芯部１０２に対して押圧するため、ワイヤ１１０に傷がつくことがあり、最悪の場合、ワイヤが断線する可能性がある。すなわち、ワイヤ１１０には所定の張力が付与されているので、そのワイヤ１１０をワイヤ線押え部材２０１により巻芯部１０２に対して押圧することで、ワイヤ１１０の終線部１１０ｂに無理な負荷がかかり、傷つきが発生することがある。ワイヤの表面には絶縁皮膜が形成されているが、この絶縁皮膜に傷が生じると、耐圧劣化や絶縁不良を生じる可能性がある。また、線押え部材２０１によって押圧されたワイヤ１１０の終線部１１０ｂは、接続部１１０ｂ1と配線部１１０ｂ2との間で２箇所で屈曲するため、ワイヤ１１０の終線部１１０ｂに弛みが発生する可能性がある。【０００８】
上述の説明では２ラインコモンモードチョークコイルの例を示したが、３本のワイヤを使用した３ラインコモンモードチョークコイルの場合には、ショートの発生リスクはさらに高まる。図１９の（ａ）は従来の３ラインコモンモードチョークコイル３００、（ｂ）は特許文献１に示された巻線装置により作製された３ラインコモンモードチョークコイル４００である。（ａ）の場合、３本のワイヤ３０１〜３０３のうち、第２と第３のワイヤ３０２、３０３の始線部３０２ａ、３０３ａが電位の異なる電極３０４，３０５と近接し（Ｓ３、Ｓ４で示す）、第１と第２のワイヤ３０１，３０２の終線部３０１ｂ，３０２ｂが電位の異なる電極３０８，３０９と近接する（Ｓ５、Ｓ６で示す）ため、ショートの発生リスクが高い。これに対し、（ｂ）のように全てのワイヤ３０１〜３０３の始線部および終線部が電極３０４〜３０９に対してコア軸線方向に固定されている場合には、上述のようなショートの発生リスクを低減できるが、やはりワイヤ３０１、３０２の終線部３０１ｂ、３０２ｂを線押え部材３１０によって巻芯部１０２に対して押圧する必要があるため、ワイヤ３０１、３０２に傷がつくことがあり、ワイヤが断線する可能性もある。【０００９】
そこで、本発明の目的は、ワイヤと電位の異なる電極とのショートの発生リスクを低減でき、かつワイヤにかかるダメージを軽減できる多線巻線方法及び多線巻線装置を提供することにある。他の目的は、信頼性の高い巻線型コイル部品を提供することにある。
【課題を解決するための手段】
【００１０】
本発明に係る多線巻線方法は、コアの巻芯部に複数のワイヤを巻回してコイル部品を形成する多線巻線方法であって、コアの軸方向一端側と他端側にそれぞれ鍔部を有し、各鍔部にそれぞれワイヤと接続される複数の電極が溝部を間にして形成されている。この方法は、前記複数のワイヤの始線部を前記コアの一端側鍔部の外側から内側へと導き、それぞれのワイヤの始線部を一端側鍔部の電極上へ配置して接続するステップと、前記複数のワイヤを前記コアの軸方向に対して横方向へ導き、前記巻芯部に前記複数のワイヤを一緒に巻回するステップと、ワイヤ引っ掛け具を、その先端部が前記コアの他端側鍔部の内側面と同一位置又はそれより巻芯部側の位置になるように、前記他端側鍔部の溝部に挿入するステップと、前記複数のワイヤの終線部を前記コアの他端側鍔部の内側から外側へと導くとともに、前記ワイヤ引っ掛け具の先端部に前記複数のワイヤのうちの１本を除く他の少なくとも１本の終線部を引っ掛けて、当該ワイヤを張力を保ったまま折り曲げるステップと、前記複数のワイヤの終線部を対応する他端側鍔部の電極上へ配置して接続するステップと、を備える。【００１１】
本発明に係る多線巻線装置は、コアの巻芯部に複数のワイヤを巻回してコイル部品を形成する多線巻線装置であって、コアの軸方向一端側と他端側にそれぞれ鍔部を有し、各鍔部にそれぞれワイヤと接続される複数の電極が溝部を間にして形成されている。この装置は、前記ワイヤをそれぞれ供給する複数のノズルと、前記複数のノズルを移動させる移動機構と、前記コアをその軸心周りに回転させる回転機構と、前記ワイヤを前記電極に接続する接合手段と、前記コアの他端側鍔部の溝部に挿入されるワイヤ引っ掛け具と、前記ワイヤ引っ掛け具を作動させる作動装置と、を備える。ノズルにより前記複数のワイヤの始線部を前記コアの一端側鍔部の外側から内側へと導き、それぞれのワイヤを一端側鍔部の電極上へ配置して前記接合手段により接続し、前記複数のワイヤを前記コアの軸方向に対して横方向へ導くと共に、前記コアを回転させて前記巻芯部に前記複数のワイヤを一緒に巻回し、ワイヤ引っ掛け具を、その先端部が前記コアの他端側鍔部の内側面と同一位置又はそれより巻芯部側の位置になるように、前記他端側鍔部の溝部に挿入し、前記ノズルにより前記複数のワイヤの終線部を前記コアの他端側鍔部の内側から外側へと導くとともに、前記ワイヤ引っ掛け具の先端部に前記複数のワイヤのうちの１本を除く他の少なくとも１本の終線部を引っ掛けて、当該ワイヤを張力を保ったまま折り曲げ、前記複数のワイヤの終線部を対応する他端側鍔部の電極上へ配置して前記接合手段により接続する。【００１２】
さらに本発明に係る巻線型コイル部品は、巻芯部とこの巻芯部の両端部に形成された鍔部とを有し、各鍔部に溝部を間にして複数の電極が形成されたコアと、前記巻芯部に巻回され、始線部と終線部とが前記電極に接続された複数のワイヤと、を備えている。前記巻芯部の巻き始め位置から近距離にある一端側鍔部の電極に接続された前記ワイヤの始線部は、前記電極上に接続された接続部と、前記電極の巻芯部側縁部で折り曲げられて前記巻き始め位置へ延びる配線部とを有し、前記巻芯部の巻き始め位置から遠距離にある一端側鍔部の電極に接続された前記ワイヤの始線部は、前記電極上に接続された接続部と、前記電極の巻芯部側縁部で横方向に折り曲げられて前記巻き始め位置へ延びる配線部とを有する。前記巻芯部の巻き終わり位置から近距離にある他端側鍔部の電極に接続された前記ワイヤの終線部は、前記電極上に接続された接続部と、前記電極の巻芯部側縁部で折り曲げられて前記巻き終わり位置へ延びる配線部とを有し、前記巻芯部の巻き終わり位置から遠距離にある他端側鍔部の電極に接続された前記ワイヤの終線部は、前記電極上に接続された接続部と、前記電極の巻芯部側縁部又はそれより巻芯部側の位置で横方向に折り曲げられ、かつこの折り曲げ位置から前記巻き終わり位置へ延びる配線部とを有する。【００１３】
本発明の巻線型コイル部品では、複数のワイヤの始線部は一端側鍔部の電極に接続され、その電極の巻芯部側縁部で折り曲げられて巻き始め位置へと延びる。特に、巻芯部の巻き始め位置から遠距離にある一端側鍔部の電極に接続されたワイヤの始線部は、電極上に接続された接続部と、電極の巻芯部側縁部で横方向に折り曲げられて巻き始め位置へ延びる配線部とを有する。そのため、このワイヤの始線部と電位の異なる電極との距離を確保でき、ショートの発生リスクを低減できる。一方のワイヤの終線部は、他端側鍔部の電極に接続された後、電極の巻芯部側縁部で折り曲げられて巻き終わり位置へ延びる。他方のワイヤの終線部、つまり巻芯部の巻き終わり位置から遠距離にある電極に接続されたワイヤの終線部は、電極上に接続された接続部と、電極の巻芯部側縁部又はそれより巻芯部側の位置で横方向に折り曲げられて巻き終わり位置へ延びる配線部とを有する。つまり、巻芯部の巻き終わり位置から引き出されて、電極の巻芯部側の縁部近傍で横方向へ折り曲げられるので、この配線部と電位の異なる電極との距離を確保でき、その電極とのショートの発生リスクを低減できる。また、従来のように線押え部材によって巻芯部に対して押圧する必要がないため、ワイヤの傷付きを防止できる。さらに、巻芯部の巻き終わり位置から引き出されて電極に接続されるまでの間、ワイヤの終線部に１箇所の折り曲げ部が存在するだけであるから、ワイヤに弛みが発生しにくい。【００１４】
本明細書において、「巻き始め位置」とは、巻回されるワイヤが巻芯部に対して最初に接する巻芯部の位置又は側面であり、「巻き終わり位置」とは、巻回されるワイヤが巻芯部に対して最後に接する巻芯部の位置又は側面のことである。巻芯部の巻き始め位置から遠距離にある一端側鍔部の電極に接続されたワイヤの始線部、及び巻芯部の巻き終わり位置から遠距離にある他端側鍔部の電極に接続されたワイヤの終線部は、それぞれ接続部と配線部とを有する。接続部とは電極上に接続された部分のことであり、配線部とは接続部と巻芯部の巻き始め位置（又は巻き終わり位置）との間に延びる部分のことである。巻芯部の巻き始め位置から近距離にある一端側鍔部の電極に接続されたワイヤの始線部、及び巻芯部の巻き始め位置から遠距離にある一端側鍔部の電極に接続されたワイヤの始線部は、電極上にコア軸線方向に接続してもよく、巻芯部の巻き終わり位置から近距離にある他端側鍔部の電極に接続されたワイヤの終線部も、電極上にコア軸線方向に接続してもよい。一方、巻芯部の巻き終わり位置から遠距離にある他端側鍔部の電極に接続されたワイヤの終線部は、電極上にコア軸線方向に対して斜め方向に接続してもよい。「コア軸線方向に対して斜め方向」とは、「コア軸線方向」と比べてコア軸線に対する傾き角度が大きい方向のことである。また、「横方向に折り曲げる」とは、電極との対向方向から見て、ワイヤの始線部（又は終線部）が、配線部と接続部との間で角度変化していることを指す。ワイヤの始線部が横方向に折れ曲がる理由は、一端側鍔部の電極にワイヤの始線部をコア軸線方向に接続した後、そのワイヤの始線部を巻芯部の巻き始め位置へ導くからである。一方、ワイヤの終線部が横方向に折れ曲がる理由は、巻芯部の巻き終わり位置から引き出されたワイヤの終線部をワイヤ引っ掛け具で折り曲げた後に他端側鍔部の電極に接続するからである。【００１５】
ここで、本発明の巻線方法を、２本のワイヤをコアに巻回する場合を例にして説明する。まず、コアの一端側鍔部をスピンドルチャックなどの回転機構により保持する。次に、２本のワイヤの始端部をフックピンなどに引っかけ、ノズルから２本のワイヤを繰り出しながら、ノズルを一端側鍔部の外側から内側へ移動させ、両ワイヤの始線部をそれぞれ一端側鍔部の電極上にコア軸線方向に配置し、接合手段により接続する。これにより、２本のワイヤの始線部は電極上にコア軸線方向に接続される。本明細書の中で、「コア軸線方向」とは、コア軸線方向と厳密に平行である必要はなく、少なくとも電極の内側縁（巻芯部側）と外側縁（鍔部外側面側）との間をつなぐように延びておればよい。このように、ワイヤの始線部は電極にコア軸線方向に接続されるので、ワイヤの始線部と電位の異なる電極とのショートを抑制できる。ワイヤの始線部を電極に接続した後、２本のワイヤをコア軸方向に対して横方向へ導き、回転機構によりコアを回転させることで、巻芯部に２本のワイヤを一緒に巻回する。【００１６】
巻回ステップの終了後、ワイヤ引っ掛け具を他端側鍔部の溝部に挿入し、２本のワイヤの終線部を他端側鍔部の内側から外側へと導く。一方のワイヤについては、ワイヤ引っ掛け具に接触することなく鍔部外側へと誘引するだけで、電極上にコア軸線方向に固定できる。他方のワイヤについては、ワイヤ引っ掛け具の先端部にそのワイヤの終線部を引っ掛けて、当該ワイヤを折り曲げる。この折り曲げは、従来の巻線装置における線押え部材とは異なり、ワイヤを横方向に折り曲げるだけであるから、ワイヤにかかる負荷を軽減でき、傷付きや断線を抑制できる。ワイヤを折り曲げた後、その終線部の張力を保ったまま対応する電極に接続する。この場合、折り曲げられたワイヤの終線部は電極にコア軸線方向に対して斜め方向又は平行に接続固定される。ここで、巻芯部と電極との間に張り渡されたワイヤは、その途中でワイヤ引っ掛け具により角度変化するため、このワイヤと電位の異なる電極との距離を確保でき、ショートを抑制できる。このようにして、コイル部品が完成する。【００１７】
本実施形態のように、各鍔部に溝部を間にして複数の電極が形成されたコアの場合（換言すると、各鍔部に複数の脚部を有し、脚部の実装面に電極を有する場合）には、溝部にワイヤ引っ掛け具をその先端が他端側鍔部の内側面又はそれより巻芯部側へ突出した状態まで挿入することにより、ワイヤの終線部をワイヤ引っ掛け具の先端で容易に折り曲げることができる。特に、引っ掛け具の先端を他端側鍔部の内側面より巻芯部側へ突出させた場合には、ワイヤをワイヤ引っ掛け具の先端に引っ掛けやすくなり、ワイヤの折り曲げ位置が安定すると共に、このワイヤと電位の異なる電極との距離を拡大できる。【００１８】
ワイヤ引っ掛け具の挿入方向は任意であり、例えばコア軸線方向外側から溝部へ水平方向に挿入する方法や、コアの上方から挿入する方法などが考えられる。ワイヤ引っ掛け具をコアの軸方向と平行に前後移動させる場合、つまりコア軸線方向外側から溝部へ水平方向に挿入する場合には、ワイヤをガイドするノズルとワイヤ引っ掛け具との干渉を抑制でき、かつコアに対して押圧力がかからないので、コアへの負荷を軽減できる。【００１９】
３ラインコモンモードチョークコイルの場合、３本のワイヤの内、２本又は１本のワイヤの終線部が異なる電位の電極に近接することになり、２ラインコモンモードチョークコイルに比べてショートが発生するリスクが高くなる。本発明を例えば３ラインコモンモードチョークコイルに適用した場合には、ワイヤ引っ掛け具の先端部を二股状とし、それぞれの先端部に２本のワイヤをそれぞれ引っ掛けて折り曲げるようにしてもよい。つまり、コアの一端側及び他端側の鍔部にはそれぞれ３個の電極が形成され、これら電極間の鍔部の部位にそれぞれ２個の溝部が形成され、ワイヤ引っ掛け具には他端側鍔部の２個の溝部にそれぞれ挿入される２本の凸部が設けられている構造としてもよい。その場合には、２本のワイヤの終線部と異なる電位の電極との距離を確保でき、ショートの発生リスクを低減できる。【００２０】
さらに、３ラインコモンモードチョークコイルの場合に、ワイヤ引っ掛け具には他端側鍔部の２個の溝部のうち、巻芯部の巻き終わり位置から遠い位置にある溝部にのみ挿入される１本の凸部が設けられている構造としてもよい。この場合には、巻芯部の巻き終わり位置から最も遠い位置にある電極に接続されるワイヤのみをワイヤ引っ掛け具に引っ掛けて横方向に折り曲げることができる。なお、中央の電極に接続されるワイヤの終線部は、横方向に折り曲げられずに（ワイヤ引っ掛け具に引っ掛けずに）中央の電極に接続される。そのため、上述のように２本のワイヤの終線部を引っ掛ける場合に比べて、ワイヤを繰り出すノズルの動きを簡易化でき、タクトタイムを短縮できる。【００２１】
コアは、鍔部の巻芯部側の側部、又は鍔部と巻芯部との間に、電極を持たないスペーサ部を有する構造としてもよい。ここで、スペーサ部とは、巻芯部と電極との間にコア軸線方向の間隔をあけるための電極のない部分のことである。コアにこのようなスペーサ部が形成されている場合には、ワイヤと電位の異なる電極との距離をスペーサ部の分だけ拡大できるので、ショートの発生リスクをさらに低減できる利点がある。スペーサ部は、鍔部の巻芯部側の側部に設けてもよいし、鍔部と巻芯部との間に設けてもよい。３ラインコモンモードチョークコイルにおいて、上述のように中央のワイヤの終線部を横方向に折り曲げずに中央の電極に接続する場合、そのワイヤの終線部が隣の電極（電位の異なる電極）と近接し、ショートの発生リスクが高まる可能性がある。その場合に、鍔部の巻芯部側又は鍔部と巻芯部との間にスペーサ部を形成しておけば、このスペーサ部によって中央のワイヤの終線部と隣の電極との距離を確保でき、ワイヤの折り曲げ操作を省略しながら、ショートを抑制できる。【００２２】
本発明は、２ラインコモンモードチョークコイル、３ラインコモンモードチョークコイルの他に、４ラインコモンモードチョークコイルや４本のワイヤを使用するパルストランス型コイルなど、複数本のワイヤを使用した多線巻線型コイル部品に同様に適用できる。【００２３】
本発明において、回転機構は、コアの一端側鍔部をチャックして回転させるよう構成され、ワイヤ引っ掛け具及びその作動装置は、回転機構とは別の固定部に設けられている構成としてもよい。コアを回転させる方法には片持ち支持方式と両持ち支持方式とがあるが、片持ち支持方式では他端側鍔部をチャックする必要がなく、軸心合わせが不要であるため、駆動機構を簡易化できる。その場合に、本発明のワイヤ引っ掛け具を回転機構とは別の固定部に設けることで、ワイヤの終線部を接続する際にのみワイヤ引っ掛け具を作動させればよく、コアにかかる負担を軽減しながらショートを抑制できる。
【発明の効果】
【００２４】
以上のように、本発明に係る巻線方法および巻線装置によれば、少なくとも１本のワイヤの終線部をワイヤ引っ掛け具に引っ掛けて横方向に折り曲げるものであり、従来の巻線装置のようにワイヤを押さえるなどして負荷をかけないため、ワイヤにかかるダメージを軽減でき、傷付きや断線を抑制できる。ワイヤを折り曲げた後、その終線部を対応する電極に接続するため、このワイヤと電位の異なる電極との距離を確保でき、ショートの発生リスクを低減できる。その結果、信頼性の高いコイル部品を提供できる。【００２５】
さらに、本発明に係るコイル部品によれば、少なくとも１本のワイヤの終線部を電極の巻芯部側縁部又はそれより巻芯部側の位置で横方向に折り曲げ、この折り曲げ位置から巻き終わり位置へと延びるようにしたので、このワイヤと電位の異なる電極との距離を確保でき、ショートの発生リスクを低減できる。その結果、信頼性の高いコイル部品を提供できる。また、ワイヤの終線部は横方向に折り曲げるだけであり、従来のようにワイヤを押圧するなどして負荷をかけないため、ワイヤにかかるダメージを軽減でき、傷付きや断線を抑制できる。
【図面の簡単な説明】
【００２６】
【図１】本発明に係る巻線型コイル部品の第１実施例（２ラインコモンモードチョークコイル）の平面図、正面図、Ａ−Ａ線断面図及びＢ−Ｂ線断面図である。
【図２】第１実施例の巻線型コイル部品の変形例（２ラインコモンモードチョークコイル）の平面図である。
【図３】本発明に係る巻線装置の一例の正面図（ａ）及び平面図（ｂ）である。
【図４】図３に示す巻線装置の第１工程における正面図（ａ）及び平面図（ｂ）である。
【図５】図３に示す巻線装置の第２工程における正面図（ａ）及び平面図（ｂ）である。
【図６】図３に示す巻線装置の第３工程における正面図（ａ）、平面図（ｂ）、Ｃ−Ｃ線断面図（ｃ）である。
【図７】第３工程における部分斜視図である。
【図８】本発明に係る巻線型コイル部品の第２実施例（３ラインコモンモードチョークコイル）の平面図及びＢ−Ｂ線断面図である。
【図９】図８に示すコイル部品の終線部を折り曲げる方法を示す平面図である。
【図１０】図８に示すコイル部品の終線部を折り曲げる方法を示す斜視図である。
【図１１】ワイヤ引っ掛け具の他の例の斜視図である。
【図１２】本発明にかかる３ラインコモンモードチョークコイルの第３実施例の平面図及び正面図である。
【図１３】本発明にかかる３ラインコモンモードチョークコイルの第４実施例の斜視図である。
【図１４】本発明にかかる３ラインコモンモードチョークコイルの第５実施例の斜視図である。
【図１５】本発明をパルストランスに適用した第６実施例の平面図及び側面図である。
【図１６】本発明にかかる２ラインコモンモードチョークコイルの第７実施例の平面図である。
【図１７】従来の２ラインコモンモードチョークコイルの一例の平面図である。
【図１８】従来の２ラインコモンモードチョークコイルの他の例の平面図及びＢ−Ｂ線断面図である。
【図１９】従来の３ラインコモンモードチョークコイルの一例（ａ）及び他の例（ｂ）の平面図である。
【発明を実施するための形態】
【００２７】
−巻線型コイル部品の第１実施例−
図１は本発明に係る巻線方法により製造されるコイル部品１の一例であり、ここでは２ラインコモンモードチョークコイルの例を示す。本コイル部品１は磁性体からなるコア２を備えている。コア２は、その中央部に巻芯部３を有し、軸方向両端部に一対の鍔部４，５を有している。巻芯部３は上下面および両側面を有する直方体状をしており、その巻芯部３の周面に２本のワイヤ１０，１１が並列に巻回されている。なお、図１ではコア２の軸方向をＹ軸とし、それと垂直な水平方向をＸ軸、鉛直方向をＺ軸としてある。
【００２８】
鍔部４、５の実装面側（図１では上側に示されているが、回路基板への実装時には下面側）にはそれぞれ２個の脚部（合計４個）が設けられ、これらの脚部の頂面を含む周面に電極６ａ、６ｂ、７ａ、７ｂが形成されている。なお、電極６ａ〜７ｂは脚部の頂面のみに形成されていてもよい。電極６ａと６ｂとの間、及び電極７ａと７ｂとの間に、それぞれ溝部４ａ，５ａが形成されている。電極６ａ〜７ｂは、例えばＡｇ，Ａｇ−Ｐｄ，Ａｇ−Ｐｔなどによる10〜30μmの膜層を有する下地電極と、その上に形成されたＮｉ，Ｓｎ，Ｓｎ−Ｐｄなどによる1〜30μm程度のめっき層とによって形成されている。なお、下地電極は通常、ＤＩＰコーティング、印刷、スパッタなどで形成される。このとき、脚部の頂面に形成された電極６ａ〜７ｂは、実質的に略同一形状および略同一面積で形成されるのがよい。
【００２９】
ワイヤ１０、１１はＣｕ，Ａｇ，Ａｕなどの金属導線で形成され、その表面には絶縁皮膜が形成されている。ワイヤ１０、１１の始線部１０ａ、１１ａは、一端側鍔部４の電極６ａ，６ｂ上にそれぞれコア軸線とほぼ平行（鍔部４の外壁面とほぼ直角）に接続されている。一方、ワイヤ１１の終線部１１ｂについては、他端側鍔部５の電極７ｂ上にコア軸線とほぼ平行（鍔部５の外壁面とほぼ直角）に接続されているが、ワイヤ１０の終線部１０ｂは、他端側鍔部５の電極７ａ上にコア軸線に対して斜め方向に接続されている。接続方法としては、例えばはんだ付け、熱圧着、溶着、スポット溶接など種々の方法が用いられる。
【００３０】
図１の（ｃ）に示すように、一方のワイヤ１０の始線部１０ａは、電極６ａの頂面にコア軸線方向に接続固定された後、鍔部４の内側縁から巻芯部３に向かって縦方向（Ｚ方向）に折り曲げられ、最短距離で巻芯部３の巻き始め位置３ａへ巻回される。他方のワイヤ１１の始線部１１ａは、電極６ｂの頂面にコア軸線方向に接続固定された接続部１１ａ1と、鍔部４の内側縁で横方向に折り曲げられた後、鍔部４の内側縁から巻芯部３の巻き始め位置３ａに向かって直線的に延びる配線部１１ａ2とを有し、巻芯部３へと巻回されている。このように始線部１１ａの接続部１１ａ1と配線部１１ａ2との間で角度変化するので、ワイヤ１１の始線部１１ａと電位の異なる電極６ａとの距離δ１（図１（ａ）参照）を確保でき、ショートを抑制できる。なお、「横方向に折り曲げる」とは、電極との対向方向から見て、ワイヤ１１の始線部１１ａの接続部１１ａ1と配線部１１ａ2との間で角度変化していることを指す。
【００３１】
また、図１の（ｄ）に示すように、一方のワイヤ１０の終線部１０ｂは、その配線部１０ｂ2が巻芯部３の巻き終わり位置３ｂから斜め上方へ引き出され、鍔部５の内側面とほぼ同一位置（折り曲げポイントＰ１）で横方向に折り曲げられた後、接続部１０ｂ1が電極７ａの頂面にコア軸線方向に対して斜め方向に接続固定されている。このように、終線部１０ｂは配線部１０ｂ2と接続部１０ｂ1との間で角度変化するため、このワイヤ１０と電位の異なる電極７ｂとの距離δ２（図１（ａ）参照）を確保でき、ショートの発生リスクを低減できる。他方のワイヤ１１の終線部１１ｂは、巻芯部３の巻き終わり位置３ｂから直上方向に引き出され、鍔部５の内側縁で縦方向に折り曲げられた後、電極７ｂにコア軸線方向に接続される。
【００３２】
図１では、電極６ａ、６ｂに接続されたワイヤ１０、１１の始線部１０ａ，１１ａはコア軸線と平行で、電極７ｂに接続されたワイヤ１１の終線部１１ｂもコア軸線と平行である例を示したが、厳密に平行である必要はなく、ワイヤの誘引方向や、電極の位置と巻芯部の側面との関係により、傾きが生じる場合がある。
【００３３】
上述のように構成された本実施例のコイル部品１では、次のような作用効果がある。
（１）隣接する電極にワイヤが近接もしくは接触することがないので、絶縁信頼性が高い。
（２）電極の電極面積が略均一のため、圧着品位および電極固着力を安定して確保できる。
（３）巻き幅を有効的に使えるため、巻き数が稼げ、Ｌ値が取り易い。
（４）ワイヤ１０の終線部１０ｂを無理に屈曲させないので、断線や傷付きなどのダメージが少ない。
（５）ワイヤ１０の終線部１０ｂは、巻き終わり位置３ｂから直線状に延び、電極７ａの内側縁近傍で折り曲げられた直後に電極７ａに固定されているので、ワイヤ１０に弛みが発生しない。
【００３４】
図２は、図１に示す巻線型コイル部品の変形例１Ａを示す。図１ではワイヤ１０の終線部１０ｂを鍔部５の内側面とほぼ同一位置（Ｐ１）で折り曲げた例を示したが、図２の例では終線部１０ｂが鍔部５の内側面より巻芯部３側へ突出した位置（Ｐ２）で折り曲げられている。つまり、折り曲げポイントＰ２は鍔部５の内側面より巻芯部３側へ距離ｅだけオフセットしている。これは、後述するワイヤ引っ掛け具３４をその先端部が他端側鍔部５の内側面より巻芯部３側に突出するように挿入することで達成できる。その結果、ワイヤ１０の終線部１０ｂと電位の異なる電極７ｂとの距離δ２を拡大でき、ショートの発生リスクを一層低減できる。
【００３５】
−巻線装置−
図３は、前述の巻線型コイル部品１にワイヤ１０、１１を巻回するための巻線装置の一例を示す。この巻線装置２０は、大略、スピンドルチャック２１と、支持台３０と、２本のワイヤ１０、１１を繰り出すノズル４０、４１とを備える。ここで、スピンドルチャック２１と支持台３０との対向方向（コア軸線方向）をＹ軸とし、それと直交方向（水平方向）をＸ軸とし、鉛直方向をＺ軸とする。
【００３６】
スピンドルチャック２１は、本体部２２と可動部２３とを備えており、可動部２３は本体部２２に対して図示しない作動手段により接近、離間方向（Ｘ軸方向）に移動可能である。本体部２２と可動部２３とのチャック部２２ａ，２３ａ間でコア２の始線側の鍔部４の両側縁、つまりＸ軸方向の両側縁を把持できるようになっている。ここで、電極６ａ〜７ｂが上側を向くようにコア２は把持される。本体部２２の後部には、本体部２２と可動部２３とを一体に水平軸（Ｙ軸）を中心軸として回転駆動させるサーボモータ２４が設けられている。本体部２２の上面には、ワイヤクランプ２５と２本のフッキングピン２６ａ、２６ｂとが設けられている。フッキングピン２６ａ、２６ｂの位置は、ワイヤ１０、１１の一端部をワイヤクランプ２５に固定し、ワイヤ１０、１１をそれぞれフッキングピン２６ａ、２６ｂに引っ掛けた状態でノズル４０、４１をＹ軸方向に移動させたとき、ワイヤ１０、１１の始線部１０ａ，１１ａを電極６ａ、６ｂの中央部上にＹ軸方向（コア軸線と平行）に配置できる位置に設定されている。
【００３７】
支持台３０は所定位置に固定された部材であり、その上面にはワイヤクランプ３１と２本のフッキングピン３２ａ、３２ｂとが設けられている。一方のフッキングピン３２ａの位置は、ワイヤ１０を後述するワイヤ引っ掛け具３４に引っかけた状態でコア２から引き出し、そのフッキングピン３２ａに引っ掛けたとき、ワイヤ１０の終線部１０ｂが電極７ａ上に斜めに横断するような位置に設定されている。他方のフッキングピン３２ｂの位置は、コア２から引き出されたワイヤ１１の終線部をそれぞれフッキングピン３２ｂに引っ掛け、ワイヤクランプ３１に固定したとき、ワイヤ１１の終線部１１ｂが電極７ｂ上にコア軸線とほぼ平行となる位置に設定されている。支持台３０には、引っ掛け具作動装置の一例であるシリンダ３３が設けられ、このシリンダ３３によりワイヤ引っ掛け具３４がコア軸線方向（Ｙ軸方向）に進退可能に取り付けられている。すなわち、ワイヤ引っ掛け具３４は、後退位置と前進位置との２位置に移動可能であり、前進位置においてワイヤ引っ掛け具３４がコア２の鍔部５の溝部５ａに挿入され、ワイヤ引っ掛け具３４の先端が鍔部５の内側面と同一面又はそれより巻芯部側に突出するように設定されている。
【００３８】
なお、図３ではシリンダ３３を支持台３０に設けたが、支持台３０とは別の固定部に設けることもできる。また、ワイヤ引っ掛け具３４の作動方向は、水平方向に前後移動するものに限らず、例えば垂直方向に昇降するものや、水平な支軸周りに回動可能なアームであってもよい。この実施例のワイヤ引っ掛け具３４は直方体形状のブロックであるが、先端でワイヤ１１を引っ掛ける機能を有するものであれば、その形状は任意である。ワイヤの引っ掛けを安定して行うためには、ワイヤ引っ掛け具３４の縦方向（Ｚ方向）寸法は、溝部５ａの深さよりも大きい方がよい。つまり、溝部５ａに挿入された状態でワイヤ引っ掛け具３４の一部が溝部５ａから上方へ突出しているのがよい。
【００３９】
ノズル４０、４１は図示しない保持部材によりそれぞれ保持されて、ＸＹ方向（又はＸＹＺ方向）に移動可能であり、ワイヤ間隔を自在に変えることができる。コア２の鍔部４、５の上方位置には、上下方向に作動可能なヒータチップ４５、４６が配置されている。一方のヒータチップ４５は、ワイヤ１０、１１の始線部１０ａ，１１ａが電極６ａ、６ｂ上に配置された状態で降下し、始線部１０ａ，１１ａを電極６ａ、６ｂに接続する。他方のヒータチップ４６は、ワイヤ１０、１１の終線部１０ｂ，１１ｂが電極７ａ、７ｂ上に配置された状態で降下し、終線部１０ｂ，１１ｂを電極７ａ、７ｂに接続する。なお、ヒータチップ４６の作動時には、同時にワイヤ引っ掛け具３４も鍔部５の溝部５ａに挿入された状態にあるので、ワイヤ引っ掛け具３４と干渉しないように、ヒータチップ４６は電極７ａ、７ｂだけを加熱できる二股の凸形状とされているのがよい。
【００４０】
−巻線装置の作動説明−
ここで、上記構成からなる巻線装置２０の動作について、図４〜図６を参照して説明する。図４は第１工程を示す。第１工程では、スピンドルチャック２１のチャック部２２ａ，２３ａがコア２の鍔部４の両側面を、電極６ａ〜７ｂが上側を向くように把持する。ノズル４０、４１から繰り出されたワイヤ１０、１１の一端部をワイヤクランプ２５に固定し、ワイヤ１０、１１をそれぞれフッキングピン２６ａ、２６ｂに引っ掛けた状態で、ノズル４０、４１をコア２上へＹ軸方向に移動させる。つまり、ワイヤ１０、１１の始線部１０ａ，１１ａを一端側鍔部４の外側から内側へと導くことで、始線部１０ａ，１１ａを電極６ａ、６ｂ上にＹ軸方向に配置する。この状態で、ヒータチップ４５を降下させ、始線部１０ａ，１１ａを電極６ａ、６ｂに接続する。接続後、ヒータチップ４５は再び上昇する。
【００４１】
図５は第２工程であり、ノズル４０、４１をコア２上から横方向（Ｘ方向）に移動させた状態で、サーボモータ２４を駆動し、スピンドルチャック２１を回転させる。つまり、コア２を回転させる。回転と同時にノズル４０、４１をＹ方向及びＸ方向へ移動させることで、２本のワイヤ１０、１１をコア２の巻芯部３に並列に巻回する。これにより、ワイヤ１０、１１の始線部は隣り合う電極６ａ、６ｂとの接触を避けて引き回しされ、一定のテンションを付与して巻回される。
【００４２】
図６は第３工程であり、巻芯部３へのワイヤ１０、１１の所定回数の巻線作業を終了し、スピンドルチャック２１の回転を電極６ａ〜７ｂが上側を向く位置で停止させる。そして、ワイヤ引っ掛け具３４をコア２の鍔部５の溝部５ａに挿入する位置へ前進させる。ここで、ノズル４０、４１をＸＹ方向に作動させて、一方のワイヤ１０の終線部１０ｂをワイヤ引っ掛け具３４の先端部に引っ掛けながら他端側鍔部５の内側から外側へと導くことで、終線部１０ｂを折り曲げて電極７ａ上に斜め方向に配置する。仮に、ワイヤ１０を他端側鍔部５の内側から外側へ導いた後にワイヤ引っ掛け具３４を溝部５ａに挿入させて終線部１０ｂを折り曲げようとすると、ワイヤ引っ掛け具３４と終線部１０ｂの接触位置がずれてワイヤ１０に擦れが発生する可能性がある。本実施形態では、ワイヤ引っ掛け具３４を溝部５ａに挿入させた後にワイヤ１０を他端側鍔部５の内側から外側へ導くことで終線部１０ｂを折り曲げるので、ワイヤ１０には無理な押圧力が作用せず、ワイヤ１０の傷付きや断線の恐れはない。他方のワイヤ１１の終線部１１ｂは巻芯部から電極７ｂ上に直線的に導くことで、電極７ｂ上にＹ軸方向に配置できる。両ワイヤ１０、１１をそれぞれフックピン３２ａ、３２ｂを介してワイヤクランプ３１に固定した後、ヒータチップ４６を降下させ、終線部１０ｂ，１１ｂを電極７ａ、７ｂに接続する（図６の（ｃ）に示す）。接続と同時又はその後に、鍔部４，５の外壁面に沿ってワイヤ１０、１１をカットすることで、図１又は図２に示すコイル部品１を完成する。
【００４３】
図７は、第３工程における詳細図である。図示するように、ワイヤ引っ掛け具３４はコア２の鍔部５の溝部５ａにＹ軸方向に挿入され、ワイヤ引っ掛け具３４の先端が鍔部５の内側面と同一面又はそれより巻芯部側に突出した状態とされる。ワイヤ１０の終線部１０ｂをワイヤ引っ掛け具３４の先端部に引っ掛けながら鍔部５の内側から外側へと導くことで、終線部１０ｂが電極７ａ上に斜め方向に横断するように配置される。この状態で、ヒータチップ４６により終線部１０ｂは電極７ａの中心部に接続される。ワイヤ１０の終線部１０ｂはワイヤ引っ掛け具３４の先端部（角部）によって一定位置で折り曲げられるので、ワイヤ１０の位置がずれることがない。つまり、電極７ａと巻芯部３との間に延びる終線部１０ｂが電極７ｂと距離を保つような引き回しが形付けられ、ショートの発生リスクを低減できる。したがって、安定した品質のコイル部品を製造できる。なお、ワイヤ１０の終線部１０ｂの折り曲げ位置であるワイヤ引っ掛け具３４の先端部（角部）に適宜Ｃ面やＲ面を形成し、ワイヤの負荷をさらに軽減してもよい。
【００４４】
−巻線型コイル部品の第２実施例−
図８は、コイル部品の第２実施例を示す。このコイル部品１Ｂは、本発明を３ラインコモンモードチョークコイルに適用した例を示し、図１と同一又は対応する部分には同じ符号を付して重複説明を省略する。コア２の鍔部４，５の実装面側には３個の脚部が形成され、その表面にそれぞれ電極６ａ〜６ｃ、７ａ〜７ｃが形成されている。そのため、電極６ａ〜６ｃの間には溝部４ａ，４ｂが形成され、電極７ａ〜７ｃの間には溝部５ａ，５ｂが形成されている。巻芯部３の周面には３本のワイヤ１０、１１、１２が並列に巻回されている。ワイヤ１０の始線部１０ａは電極６ａに接続され、ワイヤ１１の始線部１１ａは電極６ｂに接続され、ワイヤ１２の始線部１２ａは電極６ｃに接続されている。各電極６ａ〜６ｃに対するワイヤ１０、１１、１２の始線部１０ａ，１１ａ，１２ａの接続方向、つまり接続部１０ａ1、１１ａ1、１２ａ1の方向はほぼコア軸線方向とされている。始線部１１ａの配線部１１ａ2は接続部１１ａ1に対して横方向に折り曲げられ、始線部１２ａの配線部１２ａ2は接続部１２ａ1に対して横方向に折り曲げられている。そのため、ワイヤ１１の始線部１１ａが異なる電位の電極６ａに接触するのが防止され、ワイヤ１２の始線部１２ａが異なる電位の電極６ｂに接触するのが防止される。電極６ａ〜６ｃに対するワイヤ１０、１１、１２の始線部１０ａ，１１ａ，１２ａの接続方法は、２ラインコモンモードチョークコイルについて説明した図４と同様であり、ワイヤ１０〜１２の始線部１０ａ〜１２ａを一端側鍔部４の外側から内側へと導くことで、始線部１０ａ〜１２ａを電極６ａ〜６ｃ上にほぼコア軸線方向に配置できる。
【００４５】
ワイヤ１０、１１、１２の終線部１０ｂ，１１ｂ，１２ｂは、それぞれ電極７ａ〜７ｃに接続されている。このうち、ワイヤ１２の終線部１２ｂは巻芯部３から直上の電極７ｃへと引き出されるため、電極７ｃに対してほぼコア軸線方向に接続される。一方、ワイヤ１０、１１の終線部１０ｂ、１１ｂは巻芯部３から斜め上方へ引き出され、電極７ａ、７ｂにコア軸線に対して斜め方向に接続される。このとき、図９、図１０のように、電極７ａ、７ｂ、７ｃの間の溝部５ａ、５ｂにワイヤ引っ掛け具３５の凸部３５ａ，３５ｂを、その先端が鍔部５の内側面と同一面又はそれより巻芯部側に突出した状態となるように挿入する。この状態でワイヤ１０、１１の終線部１０ｂ、１１ｂを、ワイヤ引っ掛け具３５の凸部３５ａ，３５ｂに引っ掛けながら鍔部５の内側から外側へと導けば、終線部１０ｂ、１１ｂがワイヤ引っ掛け具３５の凸部３５ａ，３５ｂの先端で横方向に折り曲げられる。すなわち、終線部１０ｂの接続部１０ｂ1と配線部１０ｂ2との間で角度変化が生じ、終線部１１ｂの接続部１１ｂ1と配線部１１ｂ2との間で角度変化が生じる。そのため、ワイヤ１０、１１の終線部１０ｂ、１１ｂがそれぞれ電位の異なる電極７ｂ、７ｃを迂回して折れ曲がり、これら電極７ｂ、７ｃと終線部１０ｂ、１１ｂとの距離δ１、δ２（図８参照）を確保できる。その結果、ショートの発生リスクを低減できる。
【００４６】
この実施例のワイヤ引っ掛け具３５は、溝部５ａ、５ｂに挿入される凸部３５ａ、３５ｂと、それらを連結する連結部３５ｃとを備えた平面視略Ｕ字形状とされている。特に、連結部３５ｃの上面は凸部３５ａ，３５ｂの上面よりも低く（望ましくは電極７ｂの上面と同一高さ又はそれより低く）形成されているのがよい。この連結部３５ｃの上面に沿ってワイヤ１１の終線部１１ｂを通すことで、終線部１１ｂが電極７ｂから浮き上がるのを抑制できる。そのため、上方からヒータチップが降下して終線部１１ｂを電極７ｂに接続する際、終線部１１ｂを無理に屈曲させずに接続することができる。
【００４７】
図１１は、ワイヤ引っ掛け具の種々の変形例を示す。図１１の（ａ）は２ラインコモンモードチョークコイルに適用可能なワイヤ引っ掛け具３６の例であり、その先端部下面に切り欠き部３６ａを形成したものである。切り欠き部３６ａによってワイヤを安定して引っ掛かりやすくなり、ワイヤの折り曲げを容易に行うことができる。図１１の（ｂ）は、３ラインコモンモードチョークコイルに適用可能なワイヤ引っ掛け具３７の例であり、凸部３７ａ，３７ｂの先端部下面にＣ面３７ｄを形成したものである。このＣ面３７ｄでワイヤを引っ掛けることで、ワイヤを安定して折り曲げることができる。なお、切り欠き部やＣ面を有するワイヤ引っ掛け具は、２ラインコモンモードチョークコイル、３ラインコモンモードチョークコイルのほか、後述するパルストランスなどにも適用できる。
【００４８】
−巻線型コイル部品の第３実施例−
図１２は、３ラインコモンモードチョークコイルの他の例１Ｃを示す。図８に示す３ラインコモンモードチョークコイルの場合には、電極６ａ〜６ｃ、７ａ〜７ｃが鍔部４、５の外側面から内側面まで連続的に形成されていたが、この実施例では、鍔部４、５の内側部（巻芯部側の側部）に電極を持たないスペーサ部４ｃ，５ｃが形成されている。さらにこの実施例では、２つの溝部５ａ、５ｂのうち巻き終わり位置３ｂから遠い位置にある溝部５ａにのみ挿入される１本の凸部を有するワイヤ引っ掛け具３８を使用している。この場合には、ワイヤ１０の終線部１０ｂだけがワイヤ引っ掛け具３８によって横方向に折り曲げられるため、ワイヤ１０の終線部１０ｂと電位の異なる電極７ｂとの距離δ１を確保できる。特に、鍔部５の内側部（巻芯部側の側部）にスペーサ部５ｃが設けられているので、ワイヤ１０の終線部１０ｂの折り曲げポイントを電極７ａからＹ軸方向に離すことができ、ワイヤ１０の終線部１０ｂと電極７ｂとの距離δ１を拡大できる。
【００４９】
図９、図１０に示すような二股状のワイヤ引っ掛け具３５を使用した場合、３本のワイヤ１０〜１２の内の２本をワイヤ引っ掛け具３５に引っ掛けるために、ワイヤノズルの動きが複雑になり、タクトタイムが長くなる可能性がある。これに対し、図１２のようにワイヤ引っ掛け具３８を一方の溝部５ａにのみ挿入する方法は、１本のワイヤ１０だけをワイヤ引っ掛け具３８に引っ掛ければよいので、ワイヤノズルの動きが簡易化され、タクトタイムを短縮できるという利点がある。
【００５０】
図１２の実施例では、ワイヤ引っ掛け具３８に接触しないワイヤ１１の終線部１１ｂが、巻芯部３の巻き終わり位置３ｂから直線的（横方向に折り曲げられず）に引き出されて電極７ｂに接続されるため、終線部１１ｂが隣の電極７ｃと接近する可能性がある。しかし、この実施例では、鍔部５の内側部（巻芯部側の側部）に電極を持たないスペーサ部５ｃを有するので、終線部１１ｂを折り曲げなくても、終線部１１ｂと電極７ｃとの距離δ２を確保しやすくなり、ショートの発生を予防できる。なお、一本のワイヤ１０のみを折り曲げるこの巻線方法は、鍔部４、５の内側部にスペーサ部４ｃ，５ｃを有しないコアでも適用可能であるが、ワイヤ１１の終線部１１ｂを横方向に折り曲げなくても電位の異なる電極７ｃに接触しないような形状のコアに適用するのが望ましい。なお、図１２では、ワイヤ１０の終線部１０ｂだけを横方向に折り曲げ、ワイヤ１１の終線部１１ｂを横方向に折り曲げない例を示したが、当然ながらワイヤ１０、１１の終線部１０ｂ、１１ｂの両方を折り曲げてもよいことは勿論である。
【００５１】
−巻線型コイル部品の第４実施例−
図１３は、３ラインコモンモードチョークコイルのさらに他の例１Ｄを示す。この実施例は、鍔部４、５と巻芯部３との間に、巻芯部３より広幅でかつ同じ厚みのスペーサ部４ｄ，５ｄを形成したものである。スペーサ部４ｄによって巻芯部３の巻き始め位置３ａを電極６ａ〜６ｃからＹ軸方向に離間させることができ、始線部１１ａ、１２ａと電位の異なる電極６ａ、６ｂとのショートを抑制できる。同様に、スペーサ部５ｄによって巻芯部３の巻き終わり位置３ｂを電極７ａ〜７ｃからＹ軸方向に離間させることができるので、終線部１０ｂ、１１ｂと電位の異なる電極７ｂ、７ｃとのショートを抑制できる。図１３では、２本のワイヤ１０、１１の終線部１０ｂ、１１ｂを横方向に折り曲げたが、図１２と同様に、中央のワイヤ１１の終線部１１ｂを横方向に折り曲げずに電極７ｂと接続してもよい。なお、図１３では、鍔部４、５の頂面にのみ電極６ａ〜６ｃ、７ａ〜７ｃを設けた例を示したが、脚部の周囲にも電極を設けてもよいことは勿論である。
【００５２】
−巻線型コイル部品の第５実施例−
図１４は、３ラインコモンモードチョークコイルのさらに他の例１Ｅを示す。この実施例では、鍔部４、５と巻芯部３との間に、電極６ａ〜６ｃ、７ａ〜７ｃが形成された頂面から巻芯部３の上面に向かって傾斜したスペーサ部４ｅ、５ｅを形成したものである。スペーサ部４ｄによって巻芯部３の巻き始め位置３ａを電極６ａ〜６ｃからＹ軸方向に離間させることができ、始線部１１ａ、１２ａと電位の異なる電極６ａ、６ｂとのショートの発生リスクを低減できる。同様に、スペーサ部５ｄによって巻芯部３の巻き終わり位置３ｂを電極７ａ〜７ｃからＹ軸方向に離間させることができるので、終線部１０ｂ、１１ｂと電位の異なる電極７ｂ、７ｃとのショートの発生リスクを低減できる。図１４では、２本のワイヤ１０、１１の終線部１０ｂ、１１ｂを横方向に折り曲げたが、図１２と同様に、中央のワイヤ１１の終線部１１ｂを横方向に折り曲げずに電極７ｂと接続してもよい。また、図１４では鍔部４、５の頂面にのみ電極６ａ〜６ｃ、７ａ〜７ｃを設けたが、スペーサ部４ｅ，５ｅの一部にも電極を設けてもよいことは勿論である。
【００５３】
−巻線型コイル部品の第６実施例−
図１５は本発明をパルストランスに適用した例を示す。図１５の（ａ）は平面図、（ｂ）は側面図である。このパルストランス１Ｆは、コア２の一端側鍔部４の実装面に４個の電極６ａ〜６ｄを有し、他端側鍔部５の実装面に４個の電極７ａ〜７ｄを有している。中央の２つの電極６ｂ，６ｃの間、及び７ｂ，７ｃの間に、それぞれ溝部４ａ，５ａが形成されている。まず最初に、２本のワイヤ１０、１１の始線部１０ａ，１１ａが電極６ｂ，６ｄにコア軸線方向に接続され、ワイヤ１０、１１が巻芯部３に例えば反時計周り方向に巻回される。巻回終了後、鍔部５の溝部５ａにワイヤ引っ掛け具３９が挿入され、ワイヤ１０の終線部１０ｂが電極７ａにコア軸線方向に接続されると共に、ワイヤ１１の終線部１１ｂがワイヤ引っ掛け具３９の先端の一方の縁部によって横方向に折り曲げられ、電極７ｃに斜め方向に接続される。
【００５４】
次に、別の２本のワイヤ１２、１３の始線部１２ａ，１３ａが電極６ａ，６ｃにコア軸線方向に接続され、ワイヤ１２、１３が巻芯部３にワイヤ１０、１１とは反対方向（例えば時計周り方向）に巻回される。巻回終了後、鍔部５の溝部５ａにワイヤ引っ掛け具３９が再び挿入され、ワイヤ１３の終線部１３ｂが電極７ｄにコア軸線方向に接続されると共に、ワイヤ１２の終線部１２ｂがワイヤ引っ掛け具３９の先端の他方の縁部によって横方向に折り曲げられ、電極７ｂに斜め方向に接続される。
【００５５】
このように４本のワイヤを巻線するパルストランス１Ｆにおいては、共通するワイヤ引っ掛け具３９によって、２本のワイヤ１１、１２の折り曲げを行うことが可能である。この場合も、ワイヤ引っ掛け具３９によってワイヤ１１、１２に無理な負荷をかけずに折り曲げることができるので、これらワイヤ１１、１２と異なる電位の電極（例えば７ｂ，７ｃ）とのショートを抑制できる。
【００５６】
−巻線型コイル部品の第７実施例−
図１６は、鍔部４、５の幅寸法と巻芯部３の幅寸法とがほぼ同じコア２を用いた２ラインコモンモードチョークコイル１Ｇの例を示す。図１と同一又は対応する部分には同一符号を付して重複説明を省略する。この場合には、ワイヤ１０、１１の始線部１０ａ、１１ａは図１と同様に電極６ａ、６ｂに対してコア軸線方向に接続されるが、ワイヤ１０、１１の終線部１０ｂ，１１ｂは共に電極７ａ，７ｂにコア軸線方向に対して斜め方向に接続されている。ワイヤ１０の終線部１０ｂが電極７ａに対して斜め方向に接続される理由は、上述の実施例と同様にワイヤ引っ掛け具による折り曲げに起因するものであるが、ワイヤ１１の終線部１１ｂが電極７ｂに対して斜め方向に接続される理由は、巻芯部３の巻き終わり位置３ｂと電極７ｂの中心とが、幅方向（Ｘ方向）にオフセットしているからである。
【００５７】
上記実施例の巻線装置では、コア２の一端側鍔部がスピンドルチャック２１によってチャックされ、他端側鍔部はチャックされない例を示したが、支持台３０に他端側鍔部をチャックするチャック機構を設け、支持台３０がスピンドルチャック２１に対して従動回転又は一体回転するように構成してもよい。その場合、ワイヤ引っ掛け具及びその作動装置を支持台３０に設けてもよいし、別の固定部に設けてもよい。ワイヤ引っ掛け具を従動回転又は一体回転する支持台に設けた場合には、ワイヤ引っ掛け具を溝部に挿入するステップは、ワイヤの始線部を電極上へ固定するステップの前、又は巻芯部にワイヤを巻回するステップの前であってもよい。
【００５８】
本発明の複数の実施例を図面を参照しながら説明したが、ある実施例の構成要素は他の実施例にも適用可能であり、複数の実施例の特徴を組み合わせることも可能である。例えば、２ラインコモンモードチョークコイルに使用されたワイヤ引っ掛け具及びその作動装置は、３ラインコモンモードチョークコイルやパルストランスにも適用可能であり、３ラインコモンモードチョークコイルに設けられたスペーサ部は２ラインコモンモードチョークコイルやパルストランスにも適用可能である。
【符号の説明】
【００５９】
１、１Ｂ〜１Ｆ    コイル部品
２        コア
３        巻芯部
４、５    鍔部
４ａ，４ｂ，５ａ，５ｂ    溝部
４ｃ，４ｄ，４ｅ、５ｃ，５ｄ，５ｅ  スペーサ部
６ａ，６ｂ，６ｃ，７ａ，７ｂ，７ｃ    電極
１０、１１、１２    ワイヤ
１０ａ、１１ａ、１２ａ    始線部
１１ａ1、１２ａ1    接続部
１１ａ2、１２ａ2    配線部
１０ｂ、１１ｂ、１２ｂ    終線部
１０ｂ1、１１ｂ1    接続部
１０ｂ2、１１ｂ2    配線部
２０      巻線装置
２１      スピンドルチャック
２４      サーボモータ
３０      支持台
３３      シリンダ（ワイヤ引っ掛け具作動装置）
３４〜３９      ワイヤ引っ掛け具
４０、４１      ノズル
【図１】
2015178263.tif 000003
【図２】
2015178263.tif 000004
【図３】
2015178263.tif 000005
【図４】
2015178263.tif 000006
【図５】
2015178263.tif 000007
【図６】
2015178263.tif 000008
【図７】
2015178263.tif 000009
【図８】
2015178263.tif 000010
【図９】
2015178263.tif 000011
【図１０】
2015178263.tif 000012
【図１１】
2015178263.tif 000013
【図１２】
2015178263.tif 000014
【図１３】
2015178263.tif 000015
【図１４】
2015178263.tif 000016
【図１５】
2015178263.tif 000017
【図１６】
2015178263.tif 000018
【図１７】
2015178263.tif 000019
【図１８】
2015178263.tif 000020
【図１９】
2015178263.tif 000021
【国際調査報告】
2015178263.tif 000022
2015178263.tif 000023
2015178263.tif 000024
2015178263.tif 000025